(57)【要約】【課題】放送時間が延長されたために、延長時間分長めにして予約録画された番組データについて、延長時間に従いチャプタ設定をする。【解決手段】時間再設定部１９は、ＥＰＧ解析部１８による放送信号のＥＰＧデータの解析結果に基づき放送時間の延長を検出したとき、録画予約情報Ｃｉを、その予約録画時間を延長するように再設定する。録画処理部１２は、再設定後の予約情報Ｃｉに従い番組を録画するとき、チャプタ設定部１３は延長された放送時間に従う間隔でチャプタを設定する。【選択図】図５
2007134949.tif 000002
【特許請求の範囲】
【請求項１】
放送信号を受信するための受信手段と、
設定された予約情報に従い、前記受信手段において受信された前記放送信号に基づく番組データを録画するための録画手段と、
前記録画手段により録画された前記番組データおよび、前記番組データについて設定されたチャプタの情報を記憶するための記憶手段と、
所定期間に放送が予定されている前記番組データの録画を予約することを指示する前記予約情報を設定する録画予約手段と、
前記所定期間よりも前に放送される番組の放送時間の延長を検出する延長検出手段と、
前記延長検出手段により検出された延長放送時間だけ前記所定期間を延長するように前記予約情報を再設定する再設定手段と、
前記再設定手段により再設定された後の前記予約情報が示す延長後の前記所定期間において、前記延長放送時間に基づく間隔毎に前記チャプタを設定するチャプタ設定手段と、
録画開始からの経過時間を計時するための計時手段と、
前記記憶手段における前記番組データを、当該番組データについて設定された前記チャプタの情報に従い再生する再生手段と、を備え、
前記チャプタ設定手段は、
チャプタ分割指定データに基づき前記チャプタを設定する手段を有し、
前記チャプタ分割指定データにより、前記延長放送時間の長さ毎に、前記チャプタを設定するための間隔が指示され、
前記チャプタ設定手段は、前記間隔毎に、当該間隔の先頭の位置情報を取得し、前記位置情報を前記チャプタ情報として前記記憶手段に格納し、
前記位置情報とは、録画開始からの経過時間の情報、または前記記憶手段におけるアドレスの情報であり、
チャプタ情報は、前記番組データを管理するための管理情報に含まれ、
前記録画手段は、前記番組データをディスク記録媒体に録画し、
前記チャプタ分割指定データを外部からの操作に従い設定する手段をさらに備える、番組データ記録再生装置。
【請求項２】
放送信号を受信するための受信手段と、
設定された予約情報に従い、前記受信手段において受信された前記放送信号に基づく番組データを録画するための録画手段と、
前記録画手段により録画された前記番組データおよび、前記番組データについて設定されたチャプタの情報を記憶するための記憶手段と、
所定期間に放送が予定されている前記番組データの録画を予約することを指示する前記予約情報を設定する録画予約手段と、
前記所定期間よりも前に放送される番組の放送時間の延長を検出する延長検出手段と、
前記延長検出手段により検出された延長放送時間だけ前記所定期間を延長するように前記予約情報を再設定する再設定手段と、
前記再設定手段により再設定された後の前記予約情報が示す延長後の前記所定期間において、前記延長放送時間に基づく間隔毎に前記チャプタを設定するチャプタ設定手段と、を備える、番組データ記録装置。
【請求項３】
前記チャプタ設定手段は、
チャプタ分割指定データに基づき前記チャプタを設定する手段を有し、
前記チャプタ分割指定データにより、前記延長放送時間の長さ毎に、前記チャプタを設定するための間隔が指示されることを特徴とする、請求項２に記載の番組データ記録装置。
【請求項４】
前記チャプタ設定手段は、前記間隔毎に、当該間隔の先頭の位置情報を取得し、前記位置情報を前記チャプタ情報として前記記憶手段に格納する、請求項３に記載の番組データ記録装置。
【請求項５】
録画開始からの経過時間を計時するための計時手段をさらに備え、
前記位置情報とは、録画開始からの経過時間の情報である、請求項４に記載の番組データ記録装置。
【請求項６】
前記位置情報とは、前記記憶手段におけるアドレスの情報である、請求項４に記載の番組データ記録装置。
【請求項７】
前記チャプタ情報は、前記番組データを管理するための管理情報に含まれる、請求項２に記載の番組データ記録装置。
【請求項８】
前記録画手段は、前記番組データをディスク記録媒体に録画する、請求項２に記載に記載の番組データ記録装置。
【請求項９】
前記記憶手段における前記番組データを、当該番組データについて設定された前記チャプタの情報に従い再生する再生手段をさらに備える、請求項２に記載の番組データ記録装置。
【請求項１０】
前記チャプタ分割指定データを外部からの操作に従い設定する手段をさらに備える、請求項３に記載の番組データ記録装置。
【発明の詳細な説明】
【技術分野】
【０００１】
この発明は番組データ記録装置および番組データ記録再生装置に関し、特に、放送される番組のデータを放送時間変更に従い記録する番組データ記録装置および番組データ記録再生装置に関する。
【背景技術】
【０００２】
映像記録装置（ＤＶＤ（Digital Versatile disk）レコーダ、ＨＤＤ（Hard Disk）レコーダなど）において放送番組の予約録画をする際、たとえば野球放送の延長があったと想定する。この場合、録画した所望のコンテンツである番組データの前に野球放送延長のために余分な番組データが録画されてしまい、再生する際には特別な頭出し操作が必要となり面倒である。そこで、放送時間延長に対応して、本来視聴したいコンテンツの頭出しを容易化するという要望があった。頭出しを容易にするには、コンテンツデータにチャプタを打って、打たれたチャプタ毎にデータを再生するという技術が一般的である。
【０００３】
このような放送時間変更の情報に基づき録画を予約するための予約録画情報を変更して、録画した番組データの頭出しのために所定間隔でインデックス情報を記録するという装置が特許文献１に開示されている。
【０００４】
また特許文献２には、放送時間変更の情報が検出された場合には、実行中の録画動作を変更された情報に基づきテープ巻戻しなどの制御をして、上書き消去により余分な番組データが再生されないようにしている。
【０００５】
また特許文献３では、放送時間変更などにおいて所望しないコンテンツが記録されている場合には、所望しないコンテンツのデータを消去する。
【特許文献１】特開２００１−０１４７９０号公報
【特許文献２】特開２００１−１１９６５６号公報
【特許文献３】特開２００４−０３２４８５号公報
【発明の開示】
【発明が解決しようとする課題】
【０００６】
特許文献１においては、放送時間変更の情報を検出して予約録画情報を自動的に再設定しているのではなく、ユーザが予め放送時間の変更分を考慮して予約録画情報を設定しなければならないので操作が煩わしい。
【０００７】
また、コンテンツの録画とともにインデックス情報を所定間隔で記録しているが、所定間隔は予め固定されたもの、またはユーザが任意に設定したものであり、放送時間が延長された期間長に応じたものではない。そのために、延長時間が長い場合には、所望コンテンツの頭出しをするまでにインデックス情報に従うデータの頭出し操作が頻繁となり操作性に優れない。
【０００８】
特許文献２および３の方法においては放送時間の延長により記録された所望しないデータを自動的に消去するので、本来はユーザが所望するデータであったとしても消去されてしまう惧れがあり、録画したコンテンツが重要であるほど、そのデメリットは大きくなる。また、コンテンツの録画とともにインデックス情報を記録する機能は有しない。
【０００９】
それゆえに、この発明の目的は、放送時間が延長されたために、延長時間分長めにして予約録画された番組データについて、延長時間に従いチャプタ設定をする番組データ記録装置および番組データ記録再生装置を提供することである。
【課題を解決するための手段】
【００１０】
この発明のある局面に従う番組データ記録装置は、放送信号を受信するための受信手段と、設定された予約情報に従い、受信手段において受信された放送信号に基づく番組データを録画するための録画手段と、録画手段により録画された番組データおよび、番組データについて設定されたチャプタの情報を記憶するための記憶手段と、所定期間に放送が予定されている番組データの録画を予約することを指示する予約情報を設定する録画予約手段と、所定期間よりも前に放送される番組の放送時間の延長を検出する延長検出手段と、延長検出手段により検出された延長放送時間だけ所定期間を延長するように予約情報を再設定する再設定手段と、再設定手段により再設定された後の予約情報が示す延長後の所定期間において、延長放送時間に基づく間隔毎にチャプタを設定するチャプタ設定手段と、を備える。
【００１１】
好ましくは、録画予約手段は、第１の開始時刻から第１の終了時刻までの所定期間に放送が予定されている番組データの録画を予約することを指示する予約情報を設定し、延長検出手段は、第１の開始時刻よりも繰り下がる第２の開始時刻および第１の終了時刻よりも繰り下がる第２の終了時刻を指す放送時間の延長を検出する。
【００１２】
好ましくは、チャプタ設定手段は、チャプタ分割指定データに基づきチャプタを設定する手段を有し、チャプタ分割指定データにより、延長放送時間の長さ毎に、チャプタを設定するための間隔が指示される。
【００１３】
好ましくは、チャプタ設定手段は、間隔毎に、当該間隔の先頭の位置情報を取得し、位置情報をチャプタ情報として記憶手段に格納する。
【００１４】
好ましくは、録画開始からの経過時間を計時するための計時手段をさらに備え、位置情報とは、録画開始からの経過時間の情報である。
【００１５】
好ましくは、位置情報とは、記憶手段におけるアドレスの情報である。
好ましくは、チャプタ情報は、番組データを管理するための管理情報に含まれる。
【００１６】
好ましくは、録画手段は、番組データをディスク記録媒体に録画する。
好ましくは記憶手段における番組データを、当該番組データについて設定されたチャプタの情報に従い再生する再生手段をさらに備える。
【００１７】
好ましくは、チャプタ分割指定データを外部からの操作に従い設定する手段をさらに備える。
【発明の効果】
【００１８】
発明によれば、放送時間が延長されたために、予約された録画のための所定期間を延長時間分長めにして予約録画が実行されるとき、番組データの録画とともに、番組データについてのチャプタ設定を、延長放送時間に基づく間隔毎に行なうことができる。
【発明を実施するための最良の形態】
【００１９】
本発明の実施の形態について図面を参照しながら詳細に説明する。なお、図中同一または相当部分には同一符号を付してその説明は繰返さない。
【００２０】
図１を参照して、本発明の実施の形態に係る番組データ記録および再生の機能を有する装置の一態様であるＨＤＤレコーダ１００について説明する。
【００２１】
ＨＤＤレコーダ１００は、システム制御部１１０、外部からユーザの指示の入力を受付けるための操作部１２２、図示のないリモートコントローラ（以下、リモコンという）からのＨＤＤレコーダ１００を遠隔制御するための赤外線などによるリモコン信号を受信して、受信したリモコン信号を所定の制御信号に変換してシステム制御部１１０に出力するための受光部１２４、時刻を計測して計測結果の時間データをシステム制御部１１０に出力するための計時回路１２６、およびＨＤＤレコーダ１００の作動状態を表わす情報を表示するための表示部１２８とを含む。なお、表示部１２８に表示される作動状態とは、たとえば、ＨＤＤレコーダ１００におけるデータの記録または再生の状況、計時回路１２６から出力された時間データに基づく時刻情報などである。
【００２２】
図１を再び参照して、ＨＤＤレコーダ１００はさらに、放送局から発信されるアナログ放送信号（たとえば、ＮＴＳＣ（National Television System Committee standard）方式に従う信号など）を受信するためのアンテナ１９０、アンテナ１９０により受信した放送信号からシステム制御部１１０から指定されたチャンネルの放送信号を抽出して出力するためのチューナ１３０、外部の装置から与えられる映像および音声信号からなるビデオ信号を入力して出力する外部入力部１３２、チューナ１３０または外部入力部１３２から出力された信号を入力して所定の処理に基づいて圧縮して映像音声のデジタルデータを出力するためのＭＰＥＧ（Moving Picture Experts Group）エンコーダ１５２、システム制御部１１０からの指示に基づいてデジタルデータを格納するためのハードディスク装置１４０、外部から着脱自在に装着されるＤＶＤ１７２を駆動して映像音声データを記録したり再生したりするためのＤＶＤ駆動装置１７０、圧縮されている映像音声データを復号（伸張）して出力するためのＭＰＥＧデコーダ１５４、映像の表示画面にＨＤＤレコーダ１００の作動状態、およびその他の情報を表示する信号を生成するためのＯＳＤ（On Screen Display）画像生成回路１１４、ＯＳＤ画像生成回路１１４により生成された信号とＭＰＥＧデコーダ１５４からの出力信号とを入力して両信号を合成して出力するための合成回路１５８、合成回路１５８から出力されるデジタル信号を入力してアナログ信号に変換して出力するためのＤ／Ａ（Digital to Analog）変換部１６０、伝送ケーブル１９２が接続可能でありＤ／Ａ変換部１６０から出力される映像音声信号を入力して出力するための出力部１６８とを含む。ＨＤＤレコーダ１００は、伝送ケーブル１９２を介して、テレビ（テレビジョン受像機）４００に接続されている。
【００２３】
図１のＨＤＤレコーダ１００はさらに、ＥＰＧ用チューナ１３３とＥＰＧ抽出部１３４とを備える。ＥＰＧ用チューナ１３３は、アンテナ１９０で受信した放送信号を入力して、入力信号のうちから、ＥＰＧ（Electric Program Guide）データを放送している所定チャンネル（所定帯域）の信号を選択的に抽出して出力する。ＥＰＧ抽出部１３４は、ＥＰＧ用チューナ１３３から出力された信号を入力して、入力信号からＥＰＧデータを抽出して、システム制御部１１０に出力する。
【００２４】
ここではＨＤＤレコーダ１００とテレビ４００とは伝送ケーブル１９２の有線接続としたが、電波または光通信などの無線接続であってもよい。
【００２５】
合成回路１５８は、ＯＳＤ画像生成回路１１４から信号が与えられる場合には、上述したように信号の合成をして出力するが、与えられない場合には、ＭＰＥＧでコーダ１５４から与えられる信号を入力して、そのまま出力する。
【００２６】
ハードディスク装置１４０は、データを記録するためのハードディスク１４４、およびハードディスク１４４にデータの記録と再生を行なうデータ記録再生ヘッド１４２を有する。
【００２７】
また、システム制御部１１０は、他の各部を制御するためのＣＰＵ（Central Processing Unit）１１１およびメモリ１１２を有する。メモリ１１２には各部を制御するためのプログラムやデータが予め格納されている。ＣＰＵ１１１がメモリ１１２からプログラムを読出して実行することにより、各部の機能が当該プログラムに従い制御される。
【００２８】
システム制御部１１０は、計時回路１２６から与えられる時間データに基づき、録画開始からの経過時間を計測する機能を有する。
【００２９】
システム制御部１１０は、ＥＰＧ抽出部１３４から与えられるＥＰＧデータに基づき、番組の放送時間延長を検出して、検出結果に基づき、チャプタ設定処理を実行する機能を有する。チャプタ設定処理としては、たとえば番組データの記録媒体に、チャプタ情報を格納する処理を行なう。なお、「チャプタ」とは、番組データのしおりとなる区切りをいい、「チャプタ情報」とは、番組データの区切りを特定するための情報をいい、たとえば、そのような区切りの位置を示す情報である。また、‘チャプタを打つ’とはチャプタ情報を格納（設定）することを指す。
【００３０】
また、システム制御部１１０は、記憶されているチャプタ情報に基づき、一般的に行なわれているように、データのスキップ処理や頭出し処理などを行なうことができる。ここで「頭出し」とは、対象のコンテンツデータの先頭のデータを検索することを指す。
【００３１】
なお、システム制御部１１０においてＣＰＵ１１１がメモリ１１２に格納されたプログラムを読出すことで実現される上記した機能のうちの少なくとも１つは、ハードウェアにより実現されてもよい。
【００３２】
ここで、「番組データ」とは、記録または再生の対象となり得るものである。以下の説明において、このようなデータを「コンテンツデータ」ともいう。また、「番組」を「コンテンツ」ということがある。
【００３３】
本実施の形態において、チューナ１３０が受信した放送信号に基づく番組データは、ハードディスク装置１４０（ハードディスク１４４）に記録されるものとして説明する。なお、番組データの記録媒体はハードディスク装置１４０に限らず、たとえばＤＶＤ１７２など他の記録媒体であってもよい。また、ここでは、ハードディスク装置１４０とＤＶＤ駆動装置１７０との２つの駆動装置を備えた構成としたが、いずれか一方であってもよい。
【００３４】
図２にはハードディスク１４４におけるデータの格納例が示される。図２を参照してハードディスク１４４には、管理領域１４５およびコンテンツデータである番組データが格納されるデータ領域１４６を有する。管理領域１４５には、データ領域１４６に格納されたコンテンツデータのそれぞれに対応して、当該コンテンツデータを管理するためのコンテンツ管理データＢｊ（ｊ＝１，２，３・・・、ｍ）が格納される。
【００３５】
コンテンツ管理データＢｊは、対応のコンテンツデータを特定するための情報として、タイトルを示すタイトルデータＤ０、録画日時を示す録画日時（年、月、日、時、分）データＤ１、対応のコンテンツデータの番組の放送チャンネルを示すチャンネルデータＤ２、データ領域１４６における対応コンテンツデータが格納された領域の先頭および終端のアドレスを示す開始アドレスデータＤ３および終了アドレスデータＤ４、録画時間の長さを示す録画時間長データＤ５、チャプタ情報Ｅｋ（ｋ＝１，２，３・・・，ｈ）からなるチャプタ位置データＤ６およびフラグＤ７を含む。フラグＤ７は対応のコンテンツデータについてチャプタ情報Ｅｋが設定されれば‘１’を、設定されていなければ‘０’を示す。
【００３６】
チャプタ位置データＤ６は、対応のコンテンツデータ（番組データ）の固定長のチャプタ情報Ｅｋを含む。チャプタ情報Ｅｋは、たとえば位置情報を指す。この位置情報は、データ領域１４６のアドレスを示す情報であってもよいし、当該コンテンツデータの録画開始からの経過時間を示す時間情報であってもよい。本実施の形態では、たとえば位置情報のチャプタ情報Ｅｋとしてアドレス情報が格納されることとする。つまり、チャプタ情報Ｅｋは、対応コンテンツデータの開始アドレスデータＤ３と終了アドレスデータＤ４で示す範囲の領域におけるアドレスの情報を示す。
【００３７】
このように、コンテンツ管理データＢｊにチャプタ位置データＤ６が含まれることで、システム制御部１１０は、コンテンツデータの対応するコンテンツ管理データＢｊに基づき、チャプタ単位のデータのスキップ処理や頭出し処理などを実行することができる。
【００３８】
なお、本実施の形態において、チャプタ情報Ｅｋは、対応するコンテンツデータのコンテンツ管理データＢｊに含まれることとしたが、コンテンツデータと関連付いて記憶されればよく、他の領域に記憶されてもよい。また、チャプタ情報Ｅｋは、コンテンツデータが格納されるのと同じ記録媒体（ハードディスク１４４）に記憶されることとして説明するが、他の記録媒体（記憶領域）に記憶されてもよい。
【００３９】
図３には、メモリ１１２のデータの格納例が示される。メモリ１１２に格納される情報には、ユーザが録画を予約した番組のそれぞれに対応した予約情報Ｃｉ（ｉ＝１，２，３…，ｎ）と、チャプタ分割指定データ１１５が含まれる。予約情報Ｃｉはユーザが操作部１２２を操作して入力した情報に基づき作成されて格納される。具体的には、予約情報Ｃｉには、対応の番組（コンテンツ）の放送チャンネルを示すチャンネルデータＡ１、録画が予約された時間（録画開始時間および録画終了時間）を示す予約録画時間データＡ２およびフラグＡ３を含む。フラグＡ３を除く情報はユーザの操作により設定されるが、フラグＡ３は、予約録画時間データＡ２について、後述するような予約録画時間の再設定処理がなされたか否かを“１”または“０”で示す。
【００４０】
チャプタ分割指定データ１１５は、コンテンツデータをチャプタ単位で分割するための態様を指定する。チャプタ分割指定データ１１５は、放送時間の最大延長時間の長さに応じて、チャプタを打つ間隔を変更するように指示している。たとえば、番組の放送時間の最大延長時間が２時間を示す場合には２０分毎にチャプタを打つよう指示し、１時間を示す場合には１０分毎にチャプタを打つよう指示し、最大延長時間が３０分である場合には５分毎にチャプタを打つように指示する。これにより、後述するコンテンツデータの再生時において、放送時間が延長されたために録画された所望しないコンテンツデータの再生期間においては、延長時間の長さに拘わらず、所望コンテンツの頭出しのための、チャプタに従うスキップ操作の回数を一定とすることができるから、所望のコンテンツデータの頭出しを延長時間の長さに拘わらず容易にかつ速やかに行うことができる。
【００４１】
当該チャプタ分割指定データ１１５は、ＨＤＤレコーダ１００の工場出荷時などに、メモリ１１２に格納されるようにしてもよいし、ユーザがＨＤＤレコーダ１００のセットアップ時に所望するように設定してもよい。チャプタ分割指定データ１１５をユーザが所望するように設定する手順については後述する。
【００４２】
図４に、操作部１２２の平面図を示す。操作部１２２を用いての各操作を、操作部１２２に備えられたキーを用いて説明する。
【００４３】
放送チャンネル指定操作は、０〜９の各数字に対応して設けられたテンキー２２９を用いて行なわれる。
【００４４】
録画済みコンテンツ指定操作は、次のように行なわれる。つまり、ハードディスク装置１４０に記録されているコンテンツデータのタイトルデータＤ０に基づくタイトルの一覧を表示テレビ４００の画面（図示せず）に表示して、ユーザがテンキー２２９または画面に表示されるカーソルを上下左右に移動させるためのカーソルキー２３０を用いて所望のタイトルを指示して、決定キー２２２を操作すると、当該指示されたコンテンツが指定される。
【００４５】
録画指令操作は、録画キー２２３が操作されることにより行なわれる。
再生指令操作は、再生キー２２４が操作されることにより行なわれる。
【００４６】
録画停止操作、および、再生停止操作は、録画動作中または再生動作中に停止キー２２５が操作されることにより行なわれる。
【００４７】
また、電源キー２２１が操作されることにより、ＨＤＤレコーダ１００への電源の投入のＯＮ−ＯＦＦが切替えられる。早送りキー２２８が操作されることにより、録画された画像の再生位置が早送りされ、巻戻しキー２２７が操作されることにより、録画された画像の再生位置が巻戻しされる。一時停止キー２２６が操作されることにより、再生中の録画画像の再生動作が一時停止され、また、一時停止中の再生動作が再開される。
【００４８】
図５には、図１のＨＤＤレコーダ１００の機能構成が示される。ＨＤＤレコーダ１００は、アンテナ１９０からの放送信号を受信するための放送受信部１０、放送受信部１０で受信された放送信号を入力し指定されたチャンネルの放送信号のみを抽出して出力する選局部１１、ハードディスク装置１４０に選局部１１から与えられたチャンネルの放送信号が示すコンテンツデータおよびコンテンツ管理データＢｊを記録するための録画処理部１２、ハードディスク装置１４０からコンテンツデータを再生するための再生処理部１４、再生処理部１４により再生されて出力されるコンテンツの信号をテレビ４００に出力するための出力処理部１５を備える。さらに、ＨＤＤレコーダ１００は放送受信部１０から出力された放送信号を入力して処理するＥＰＧ用チューナ１３３およびＥＰＧ抽出部１３４に対応のＥＰＧ用選局部１６およびＥＰＧ抽出部１７、ＥＰＧ解析部１８、メモリ１１２の予約情報Ｃｉをアクセスする時間再設定部１９ならびに予約設定部２０を有する。これらの各部は、ＣＰＵ１１１によりメモリ１１２から読出されたプログラムが実行されることにより、その機能が実現される。
【００４９】
ＥＰＧ解析部１８は、ＥＰＧ抽出部１７から出力されたＥＰＧデータを入力し、入力したＥＰＧデータを解析して、解析結果を、時間再設定部１９に与える。
【００５０】
時間再設定部１９は、与えられた解析結果に基づいてメモリ１１２から予約情報Ｃｉを検索して読出し、読出した予約情報Ｃｉの録画予約時間データＡ２を、解析結果が示す最大延長時間データに基づいて再設定（更新）し、再設定後の予約情報Ｃｉをメモリ１１２に格納する。これにより元の予約情報Ｃｉは再設定後の内容により更新される。予約設定部２０は、ユーザから操作部１２２またはリモコンの操作により指定された録画予約の情報に基づき予約情報Ｃｉを生成して、生成した予約情報Ｃｉをメモリ１１２に格納する。
【００５１】
図６（Ａ）と（Ｂ）を参照して放送信号に含まれるＥＰＧデータについて説明する。図１のアンテナ１９０を介して受信する放送信号のうち、ＥＰＧ用チューナ１３３に設定された所定チャンネル（所定帯域）に対応の信号には、その垂直帰線期間（ＶＢＩ）においてＥＰＧデータが図６（Ａ）に示されるように重畳されている。したがって、図５のＥＰＧ抽出部１７は、図６（Ａ）に示されるような放送信号をＥＰＧ用選局部１６から入力するので、入力した放送信号の垂直帰線期間に基づきＥＰＧデータを抽出することができる。
【００５２】
ＥＰＧデータは図６（Ｂ）に示されるように、放送局から送られてくる番組表を示す。当該番組表は、番組を放送しているすべてのチャンネル（２ＣＨ、４ＣＨ、６ＣＨ、…）のそれぞれについて、各番組の放送時間と関連する情報Ｔ０が示される。各番組の関連情報Ｔ０には、その番組のタイトルを示すタイトルデータＴ１が含まれる。また、その番組が番組表で示される予定された放送時間を延長して放送される場合には、関連情報Ｔ０には、延長時間が最大延長時間データＴ２として含まれる。ここでは、タイトルデータＴ１が“プロ野球”である番組について放送時間の延長がされており、最大延長時間データＴ２は、たとえば２時間を示している。
【００５３】
ＥＰＧ解析部１８は図６（Ｂ）のようなＥＰＧデータを入力し、入力したＥＰＧデータを解析して、解析結果を出力する。ＥＰＧ解析部１８は、関連情報Ｔ０に最大延長時間データＴ２を含む番組があると判定すると、放送時間が延長された番組の放送チャンネルのデータと、当該番組の放送時間（延長される前の時間）のデータと、最大延長時間データＴ２をＥＰＧデータから読出す。そして、番組の放送時間が延長されたことを指示する情報と、これら読出した情報とを含む解析結果を時間再設定部１９に出力する。ＥＰＧ解析部１８は、関連情報Ｔ０に最大延長時間データＴ２を含む番組がないと判定すると、解析結果は、番組の放送時間が延長されていないことを指示する情報が含まれる。
【００５４】
なお、最大延長時間データＴ２は、番組の放送局側で設定されるものである。図６（Ｂ）では最大延長時間データＴ２は２時間を示しているが、対応のタイトルデータＴ１で示す“プロ野球”番組のヒーローインタビューが省略されるなどした場合には、当該番組の放送の延長時間は実際は最大延長時間データＴ２の２時間とはならず、たとえば１時間半で済む場合もある。
【００５５】
図７を参照して、ＥＰＧデータ取得処理の手順について説明する。ここでは説明を簡単にするためのタイトルデータＴ１が‘プロ野球’である番組のみが放送時間が延長されていると想定する。また。放送時間が延長されたとしても、以降の番組放送はキャンセルされずに順次繰り下げられて放送されると想定する。また、ここでは、メモリ１１２には１つ以上の予約情報Ｃｉが格納されており、ＣＰＵ１１１は、格納されている予約情報Ｃｉの数、すなわち変数ｎの値を予め検出していると想定する。
【００５６】
ＥＰＧデータを重畳している放送信号は常時、所定の放送局から送信されているので、ＥＰＧデータを常に受信することが可能である。本実施の形態では、計時回路１２６を利用して計時した所定間隔毎に、たとえば５分毎のタイマ割込により図７の処理を実行する。また、ＣＰＵ１１１はＥＰＧ取得のために、当該タイマ割込みにより、ＥＰＧ用チューナ１３３に対して選局動作を行なうよう指示する。ＥＰＧ用チューナ１３３は、ＣＰＵ１１１から選局動作の指示が与えられると動作を開始して、開始後の所定期間はチューニング動作を行なう。その後は、動作を停止する。そして、次のタイマ割込で、再度、動作を開始して所定期間チューニング動作をする。このように、ＥＰＧ用チューナ１３３は、タイマ割込により定期的に動作している。
【００５７】
ＥＰＧ用チューナ１３３から出力された放送信号を入力するＥＰＧ抽出部１７は、放送信号の垂直帰線期間に重畳されたＥＰＧデータを抽出してＥＰＧ解析部１８に出力する（ステップＳ（以下、単にＳと略す）３）。ＥＰＧ解析部１８は入力したＥＰＧデータを解析して、解析結果を時間再設定部１９に与える。
【００５８】
時間再設定部１９は、入力した解析結果に‘番組の放送時間が延長されていないことを指示する情報’が含まれているか否かを判定する（Ｓ４）。含まれていると判定した場合には（Ｓ４でＮＯ）、録画予約された番組について放送時間の再設定処理は不要であるから、以降の処理をスキップして、処理を終了する。一方、‘番組の放送時間が延長されていないことを指示する情報’が含まれていないと判定する、すなわち‘番組の放送時間が延長されたことを指示する情報’が含まれていると判定すると（Ｓ４でＹＥＳ）、処理はＳ５に移る。
【００５９】
まず、ＣＰＵ１１１は、メモリ１１２に既に格納された予約情報Ｃｉをカウントするための変数ｉを１に設定する（Ｓ５）。
【００６０】
そして、時間再設定部１９はメモリ１１２から予約情報ＣｉのフラグＡ３を読出して、その値が“１”であるかを判定する。“１”であれば、放送時間延長に伴い既に予約録画時間データＡ２が再設定されているわけであるから、再設定の必要はなく、処理は後述のＳ１７の処理に移行する。
【００６１】
一方、読出したフラグＡ３の値が“１”ではない、すなわち“０”であって放送時間延長に伴う予約録画時間データＡ２の再設定がされていないと判定すると、当該予約情報ＣｉのチャンネルデータＡ１および予約録画時間データＡ２と、ＥＰＧ解析部１８から与えられている解析結果（最大延長時間データＴ２が設定された番組の放送チャンネルと、延長される前の放送時間）とを照合し、照合結果に基づき、解析結果には、当該予約情報Ｃｉが示す番組の放送時間よりも前に放送されている番組について最大延長時間データＴ２の指定が含まれているか否かを判定する（Ｓ１１）。
【００６２】
たとえば、図６（Ｂ）を参照して、予約情報ＣｉのチャンネルデータＡ１が“４ＣＨ”を、かつ予約録画時間データＡ２が“２０：４５〜２１：４５”をそれぞれ示し、解析結果が“４ＣＨ”と“１８：００〜１９：００”を示す場合には、照合の結果、当該予約情報Ｃｉが示す番組と同じチャンネル（“４ＣＨ”）で、当該番組の放送時間（“２０：４５〜２１：４５”）よりも前（“１８：００〜１９：００”）に放送されている番組について最大延長時間データＴ２の指定が含まれていると判定されて（Ｓ１１でＹＥＳ）、処理はＳ１３に移行する。予約情報ＣｉのチャンネルデータＡ１が“４ＣＨ”以外のチャンネルを示す、または予約録画時間データＡ２が“１８：００”以前を示す場合には、否の判定がされて（Ｓ１１でＮＯ）、処理は後述のＳ１７に移行する。
【００６３】
時間再設定部１９は、入力する解析結果に基づき検出した最大延長時間データＴ２が示す時間だけ、予約情報Ｃｉの予約録画時間データＡ２を、その指示する期間を延長するように再度、設定する（Ｓ１３）。たとえば図８（Ａ）を参照して、所望するコンテンツ（番組）の録画（放送）開始時間ＳＴ１〜録画（放送終）了時間ＥＴ２で示される予約録画時間データＡ２は、最大延長時間データＴ２が示す時間αだけ加算される。これにより、所望コンテンツの放送予定時間は開始時間ＳＴ１よりも時間αだけ繰り下がる開始時間ＳＴ１＋αおよび終了時間ＥＴ２よりも時間αだけ繰り下がる終了時間ＥＴ２＋αの間の期間となる（図８（Ｂ）参照）。
【００６４】
その後、時間再設定部１９は予約録画時間の再設定が行なわれたことを示すために、予約情報ＣｉのフラグＡ３の値を“１”に設定する（Ｓ１５）。
【００６５】
その後、ＣＰＵ１１１は、Ｓ７〜Ｓ１５の処理がメモリ１１２に格納されている予約情報Ｃｉの全てについて実行されたか否かが、変数ｉの値がメモリ１１２に格納されている予約情報Ｃｎの値ｎを指示するか否かにより判定する（Ｓ１７）。ｉ＝ｎであると判定さると、すなわち全ての予約情報Ｃｉについて処理が実行されたと判定されると（Ｓ１７でＹＥＳ）、今回のＥＰＧ取得処理は終了するが、ｉ＜ｎである（ｉ＝ｎではない）と判定されると（Ｓ１７でＮＯ）、変数ｉの値が１インクリメントされて（Ｓ１９）、処理はＳ７に戻り、次の予約情報Ｃｉについて以降の処理が同様に繰返される。
【００６６】
図９を参照して予約情報Ｃｉに従う録画処理の手順について説明する。録画処理のために、録画処理部１２は、計時回路１２６から与えられる時間データに基づき定期的に予約録画を開始すべきか否かを判定している。つまり、メモリ１１２の予約情報Ｃｉを読出して（Ｓ２１）、予約情報Ｃｉの予約録画時間Ａ２が示す録画開始時間と計時回路１２６の時間データが示す現在時間とを比較照合して、計時回路１２６が示す時間が予約録画開始の時間を示すか否か、すなわち予約録画開始時間になったか否かを判定する（Ｓ２３）。予約録画開始の時間になっていなければ（Ｓ２３でＮＯ）、処理はＳ２１に戻り、次の予約情報Ｃｉを読出して、以降の処理を同様に行なう。
【００６７】
一方、予約録画開始の時間になったと判定された場合には（Ｓ２３でＹＥＳ）、録画処理部１２は選局部１１に対して、当該予約情報Ｃｉが示すチャンネルデータＡ１の放送信号を抽出するように指示するので、選局部１１はチューナ１３０を、チャンネルデータＡ１が示すチャンネルの放送信号を抽出するように制御する（Ｓ２５）。これにより、チューナ１３０からはチャンネルデータＡ１が示すチャンネルの放送信号が出力される。
【００６８】
そして、録画処理部１２はメモリ１１２からチャプタ分割指定データ１１５を読出す（Ｓ２７）。その後、計時回路１２６からの時間データを参照しながら録画時間の計時を開始するとともに、一時的な変数ＴＭに、当該予約情報Ｃｉの予約録画時間データＡ２が示す録画開始時間データを設定する（Ｓ２９）。
【００６９】
チューナ１３０から出力される放送信号に基づくコンテンツデータ（番組データ）は、録画処理部１２によりハードディスク装置１４０のハードディスク１４４のデータ領域１４６に記録される（Ｓ３１）。
【００７０】
その後、録画処理部１２のチャプタ設定部１３は、当該予約情報ＣｉのフラグＡ３が“１”を示すか否かを判定する（Ｓ３３）。“１”でなければ、すなわち録画時間の再設定処理がされていなければ（Ｓ３３でＮＯ）、Ｓ３５の処理はスキップする。そして、録画終了と判定されるまで（Ｓ３７でＹＥＳ）、Ｓ３１の処理による録画が継続する。
【００７１】
一方、フラグＡ３が“１”を示すと判定すると、すなわち録画時間の再設定処理がされている場合には（Ｓ３３でＹＥＳ）、チャプタ設定部１３は後述のチャプタ設定処理（Ｓ３５）を実行する。その後は、録画処理部１２により録画終了したか否かが判定される（Ｓ３７）。録画終了と判定されると（Ｓ３７でＹＥＳ）コンテンツデータの録画処理は終了し、処理はＳ３９に移行する。
【００７２】
録画処理の終了の判定は、たとえば、計時回路１２６の示す時間データが予約情報Ｃｉの予約録画時間データＡ２の録画終了時間を指していることで為される。
【００７３】
コンテンツデータの録画が終了すると、録画処理部１２は、当該コンテンツデータについてのコンテンツ管理データＢｊを録画処理により取得したデータに基づき生成して、生成したコンテンツ管理データＢｊを管理領域１４５に書込む（Ｓ３９）。これにより、一連の録画処理を終了する。
【００７４】
生成されるコンテンツ管理データＢｊのための情報は次のように取得される。つまり、タイトルデータＤ０はＥＰＧ抽出部１７から入力するＥＰＧデータに基づき取得できる。録画日時データＤ１は計時回路１２６からの時間データに基づき取得できる。チャンネルデータＤ２および録画時間長データＤ５は、予約情報ＣｉのチャンネルデータＡ１および予約録画時間データＡ２に基づき取得できる。開始アドレスデータＤ３と終了アドレスデータＤ４はコンテンツデータのデータ領域１４６における録画開始時のアドレスおよび録画終了時のアドレスを、ハードディスク装置１４０から入力することにより取得できる。また、チャプタ位置データＤ６はチャプタ設定処理（Ｓ３５）において取得できる。また、録画処理部１２はチャプタ設定処理（Ｓ３５）が実行された場合にはフラグＤ７を“１”に設定して、実行されないときには“０”に設定する。
【００７５】
図１０に、チャプタ設定部１３によるチャプタ設定処理の手順が示される。チャプタ設定部１３は、メモリ１１２のチャプタ分割指定データ１１５と、解析結果とに基づき分割時間、すなわちチャプタを打つ間隔を決定する（Ｓ４１）。たとえば、チャプタ分割指定データ１１５が、最大延長時間が２時間の場合には１０分毎にチャプタを打つことを指示しており、解析結果に含まれる最大延長時間データＴ２が２時間を示している場合には、チャプタ打ちの間隔は１０分であると決定する。
【００７６】
その後、チャプタ設定部１３は、計時部１２６が示す現在時間を示す時間データと変数ＴＭが示す時間データの差分と、Ｓ４１で求めたチャプタ打ちの間隔である分割時間（１０分）とを比較し、分割時間≧差分の関係が成立するか否かを判定する（Ｓ４３）。分割時間≧差分が成立する場合には、チャプタを打つタイミングであると判定し（Ｓ４３でＹＥＳ）、チャプタ設定部１３は、データ領域１４６において現在記録中のデータの記録位置情報（アドレス）を、ハードディスク装置１４０から入力する（Ｓ４５）。記録位置情報（アドレス）は、チャプタが打たれる間隔の先頭時刻に対応のアドレスを指す。そして、入力した記録位置情報をチャプタ情報Ｅｋとしてメモリ１１２の所定領域に一旦格納する（Ｓ４７）。その後、変数ＴＭに、計時部１２６が示す現在の時間データを設定する（Ｓ４９）。その後、処理は図９の元の処理に戻る。
【００７７】
一方、分割時間≧差分の関係が成立しない間は（Ｓ４３でＮＯ）、すなわち現在時刻がチャプタを打つタイミングでないと判定される間はＳ４５〜Ｓ４９の処理はスキップして、図９の元の処理に戻る。
【００７８】
ここでは、Ｓ４１の分割時間を求める処理を常に行うとしているが、１回求めた後は、スキップするようにしてもよい。
【００７９】
以上のように、現在時間がチャプタを打つタイミングであるか否かを判定し、チャプタを打つタイミングであったときには、チャプタ情報Ｅｋ（Ｅ１、Ｅ２、Ｅ３・・・）を取得して、メモリ１１２の所定領域に順次格納する。録画終了後の図９のＳ３９のコンテンツ管理データＢｊの書込みにおいては、録画処理部１２はメモリ１１２の所定領域に一時的に格納されていたチャプタ情報Ｅｋを読出して、読出したチャプタ情報Ｅｋを、チャプタ位置データＤ６として用いる。
【００８０】
次に、図１１を参照してコンテンツデータの再生処理について説明する。再生処理部１４は、再生処理において、再生対象のコンテンツデータに対応の管理データＢｊを参照してハードディスク装置１４０の再生動作を制御する。再生処理は、前述した録画済みコンテンツ指定操作により再生を所望するコンテンツが指定されて、再生キー２２４が操作されて再生指令が再生処理部１４に与えられることに応じて開始される。
【００８１】
まず、再生処理部１４は、指定されたコンテンツのタイトルに基づき管理領域１４５を検索して、当該タイトルを示すタイトルデータＤ０を有する管理データＢｊを検索して読出し、読出した管理データＢｊの開始アドレスデータＤ３に基づき、データ領域１４６から対応のコンテンツデータを検索して読出す。読出されたコンテンツデータはＭＰＥＧデコーダ１５４〜出力部１６８を介して処理されて、テレビ４００に映像が表示されるとともに音声が出力される（Ｓ５０）。
【００８２】
再生を開始すると、再生処理部１４は、読出したコンテンツ管理データＢｊのフラグＤ７が録画時間再設定済を示すか否か、すなわち“１”を示すか否かを判定する（Ｓ５１）。“０”を示し録画時間再設定がされていない場合には（Ｓ５１でＮＯ）、処理は後述のＳ５９に移るが、“１”を示し録画時間再設定がされている場合には（Ｓ５１でＹＥＳ）、処理はＳ５３に移る。
【００８３】
再生処理部１４は、Ｓ５０で再生処理を開始して録画時間再設定がされていると判定すると、ユーザにより早送りキー２２８が操作されたか否か、すなわちチャプタに従うスキップ処理が指示されたか否かを判定する（Ｓ５３）。
【００８４】
早送りキー２２８が操作されない、すなわちチャプタ送り操作がされないと判定されると（Ｓ５３でＮＯ）、Ｓ５９の処理に移る。早送りキー２２８が操作された、すなわちチャプタ送り操作がされたと判定されると（Ｓ５３でＹＥＳ）、再生処理部１４は、当該コンテンツ管理データＢｊのチャプタ位置データＤ６に基づき、ハードディスク装置１４０に指示して読出アドレスを次のチャプタが指示するアドレスにまでジャンプさせる（Ｓ５５）。これによりスキップ処理がされる。
【００８５】
具体的には、再生処理部１４は、チャプタ位置データＤ６のチャプタ情報Ｅｋのうち、現在のコンテンツデータの読出しアドレスの次位のアドレスを示すチャプタ情報Ｅｋを検索して、検索したチャプタ情報Ｅｋが示すアドレスにまで、読出しアドレスをジャンプさせるように、ハードディスク装置１４０に指示する。
【００８６】
ジャンプ先のチャプタ情報Ｅｋのアドレスに基づき、データ領域１４６から読出されたコンテンツデータの画像（たとえば、１ショットまたは１フレームの静止画）はテレビ４００に表示されるので、ユーザは表示された画像を見て所望コンテンツであるか否かを確認することができる。放送時間が延長されて録画時間再設定がされたコンテンツデータは、先頭から再生した場合には、図８（Ｂ）に示したように斜線で示す所望コンテンツではないコンテンツのデータから再生される。したがって、ユーザは画面を確認して、所望コンテンツではないコンテンツのデータが表示（再生）されていると確認すると、早送りキー２２８を操作する（Ｓ５７でＮＯ）。再生処理部１４は、早送りキー２２８が操作されたと判定すると（Ｓ５７でＮＯ）、Ｓ５５の処理に戻り、さらに次位のチャプタ情報Ｅｋのアドレスにまで、読出しアドレスをジャンプさせるように、ハードディスク装置１４０に指示する。
【００８７】
これにより、所望するコンテンツではないコンテンツが再生される期間は（図８（Ｂ）の斜線の期間を参照）、ユーザはチャプタ毎に再生画像を確認しながら早送りキー２２８を繰返し操作することで、チャプタ情報Ｅｋに従い読出しアドレスをジャンプさせることができるから、スキップ処理を繰返して、所望コンテンツの頭出しを速やかに行うことができる。
【００８８】
所望コンテンツデータの画像が表示されると、その時点で、ユーザは再生キー２２４を操作するので、再生処理部１４は再生キー２２４が操作されたことを判定すると（Ｓ５７でＹＥＳ）、再生処理部１４はハードディスク装置１４０に対して、その時点の読出しアドレス以降のデータから通常の読出し（再生）をするように指示する（Ｓ５９）。したがって、テレビ４００には通常の再生映像が表示される。
【００８９】
その後、再生処理部１４は再生が終了したか否かを判定する（Ｓ６１）。再生が終了していないと判定されると（Ｓ６１でＮＯ）、処理はＳ５９に戻り通常の再生が継続する。再生が終了したと判定されると（Ｓ６１でＹＥＳ）、一連の処理は終る。
【００９０】
再生終了の判定は、ハードディスク装置１４０から逐次入力するコンテンツデータの読出しアドレスと、対応のコンテンツ管理データＢｊの終了アドレスデータＤ４が示すアドレスとを比較して、両アドレスが一致したことを検出すると、再生終了と判定する。または、データ領域１４６の各コンテンツデータの最終には終端であることを示すデータが記録されており、当該終端データが読出されたことを、再生処理部１４が検出すると、再生終了と判定するようにしてもよい。
【００９１】
図１２には、最大延長時間データＴ２により予約録画時間が再設定された場合のチャプタ打ちが模式的に示される。図１２では、録画されたコンテンツデータにおけるチャプタ情報Ｅｋにより示される位置がチャプタＣとして示される。予約録画時間が再設定された場合には放送時間が延長された分の斜線のコンテンツ（録画を所望しないコンテンツ）と録画を所望するコンテンツにチャプタＣが設定される。
【００９２】
上述したように、実際の延長時間が最大延長時間データＴ２が示す時間よりも短くなった場合には、たとえば１回のスキップ処理により、既に所望コンテンツデータの先頭からいくらかの時間経過したデータまで達することも有り得る。したがって、スキップする毎に、所望コンテンツか否かを確実に確認できるようにする必要がある。確実に確認できなかった場合には、さらにスキップ処理（Ｓ５３）がされてしまい、所望コンテンツの頭出しのために多量のデータについての巻戻し操作が必要とされる。
【００９３】
そこで、本実施の形態では、図１３に示されるように、チャプタ毎にチャプタが打たれた時点から所定期間（たとえば５秒間）だけ、録画画像を通常再生して、ユーザが容易に所望コンテンツの映像であるかを確認することができるようにしている。このような再生を、ここではサンプルレビュー再生という。図１３を参照して、サンプルレビュー再生を用いた動作を説明する。
【００９４】
まず再生処理部１３は、図１１のＳ５１と同様に時間再設定済であるか否かを判定する（Ｓ５１）。時間再設定済でなければ（Ｓ５１でＮＯ）、前述したＳ５９とＳ６１の処理が同様に繰返される。時間再設定済と判定されると（Ｓ５１でＹＥＳ）、ＯＳＤ画像生成回路１１４を介してテレビ４００においてサンプルレビューをするかどうかをユーザに問合せるメッセージを表示する（Ｓ６３）。ユーザがサンプルレビューを希望して、操作部１２２を操作してその旨を指示入力すると（Ｓ６５で‘する’）、Ｓ６７のチャプタ単位の再生処理に移行するが、サンプルレビューをしないと指示入力すると（Ｓ６５で‘しない’）、Ｓ５９以降の処理が同様に行なわれる。
【００９５】
チャプタ単位の再生処理が図１４に示される。まず、指定されたコンテンツデータの先頭について再生が行なわれる（Ｓ７１）。次に、ユーザが再生キー２２４を操作したか否かが判定される（Ｓ７３）。操作したと判定されると（Ｓ７３でＹＥＳ）通常の再生処理（Ｓ５９）に移る。一方、再生キー２２４が操作されないと判定されると（Ｓ７３でＮＯ）、再生開始から５秒間が経過したか否かが判定される（Ｓ７５）。まだ５秒間が経過していない間は（Ｓ７５でＮＯ）、Ｓ８３において再生処理が行なわれてＳ７３の処理に戻るが、５秒間が経過していれば（Ｓ７５でＹＥＳ）、次のチャプタにジャンプする（Ｓ７７）。
【００９６】
このように、Ｓ７３、Ｓ７５およびＳ８３により、チャプタ単位の再生が、チャプタが打たれた時点から５秒間だけ画像が通常再生され、その５秒間の再生のうちにユーザが再生キー２２４を操作するか否かにより、当該チャプタの位置から番組の通常再生を開始するか否かが判定される。この５秒間のうちにユーザが再生キー２２４を操作しなければ、次のチャプタに移ることが所望されているとみなして、次のチャプタに移る（Ｓ７７）。次のチャプタがなければ（Ｓ７９でＹＥＳ）その時点から、通常の再生処理が行なわれる。一方、チャプタがあれば（Ｓ７９でＮＯ）、ジャンプ先の次のチャプタ（現チャプタ）から再生が開始される（Ｓ８１）。
【００９７】
このように、ユーザは所望しないコンテンツデータはチャプタに従いスキップ処理をして、スキップ処理毎に、すなわちチャプタ毎に再生される映像を確認できるから、上述したような巻戻し操作を回避して、所望のコンテンツデータの頭出しをすることができる。  
【００９８】
図１５には、ＨＤＤレコーダ１００のセットアップモードにおけるチャプタ設定のためのＧＵＩ（Graphical User Interface）によるテレビ４００に表示される画面例が示される。ユーザはチャプタ分割指定データ１１５を所望するように指定することができる。その指定はセットアップモードにおいて行なわれると想定する。たとえば、最大延長時間毎に、チャプタの数（チャプタを打つ回数）を指定するようにする。図１５では、たとえばユーザは最大延長時間が３０分、６０分および９０分についてそれぞれチャプタ数を５、１０および１５と設定済であり、次の２時間についてチャプタ数を入力しようとする段階にあるとする。図中の矢印のカーソルで示されるように、２時間についてのチャプタ数はまだ未定で、ユーザの操作部１２２を介した入力が待たれている状態である。画面では、ユーザがこれらのチャプタ数を入力し終えた場合には最後に決定キー２２２を操作することが促されている。図１５の画面において最大延長時間のそれぞれに対応してユーザが所望の分割数を入力し終えて、最後に決定キー２２２を操作することにより、ＣＰＵ１１１は、入力された最大延長時間のそれぞれに対応のチャプタ数を、メモリ１１２にチャプタ分割指定データ１１５として格納する。
【００９９】
図１５の画面を介して、ユーザは所望するように、放送時間の延長時間αの長さに応じて、チャプタを打つ間隔を決定することができる。
【０１００】
また、分割数によりチャプタを打つ時間間隔をユーザが可変に設定できるから、延長時間が長くても図１１のＳ５３によるチャプタに従うスキップ操作の回数を少なくすることができて、所望コンテンツの頭出しを速やかに行うことができる。
【０１０１】
上述した各フローチャートに従う処理がプログラムに従い実行される場合には、当該プログラムはメモリ１１２に格納される。メモリ１１２のプログラムは、プログラムを記録しているＤＶＤ１７２などの光学媒体をＤＶＤ駆動装置１７０で読出して、読出されたプログラムによりアップデートすることもできる。また、光学媒体の変わりに磁気記録媒体を用い、図示されない磁気記録媒体駆動部で読出すようにしてもよい。
【０１０２】
また、本発明の番組データ記録装置が行なう、チャプタ設定方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【０１０３】
提供されるプログラム製品は、ハードディスクなどのプログラム格納部にインストールされて実行される。なお、プログラム製品は、プログラム自体と、プログラムが記録された記録媒体とを含む。
【０１０４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０５】
【図１】実施の形態に係るＨＤＤレコーダのハードウェア構成図である。
【図２】実施の形態に係るハードディスクにおけるデータの格納例を示す図である。
【図３】実施の形態に係るメモリのデータ格納例を示す図である。
【図４】実施の形態に係る操作部を説明する図である。
【図５】実施の形態に係るＨＤＤレコーダの機能構成図である。
【図６】（Ａ）と（Ｂ）は実施の形態に係る放送信号に含まれるＥＰＧデータについて説明する図である。
【図７】実施の形態に係るＥＰＧデータ取得処理のフローチャートである。
【図８】（Ａ）と（Ｂ）は実施の形態に係る予約録画時間の再設定を説明する図である。
【図９】実施の形態に係る録画処理にフローチャートである。
【図１０】実施の形態に係るチャプタ設定処理のフローチャートである。
【図１１】実施の形態に係る再生処理のフローチャートである。
【図１２】実施の形態に係るチャプタ打ちを例示する図である。
【図１３】実施の形態に係るサンプルレビューの処理フローチャートである。
【図１４】実施の形態に係るチャプタ単位の再生のフローチャートである。
【図１５】実施の形態に係るチャプタ分割指定のための画面表示例を示す図である。
【符号の説明】
【０１０６】
１２  録画処理部、１３  チャプタ設定部、１４  再生処理部、１８  ＥＰＧ解析部、１９  時間再設定部、１００  ＨＤＤレコーダ、１１５  チャプタ分割指定データ、Ｂｊ  コンテンツ管理データ、Ｄ６  チャプタ位置データ、Ｅｋ  チャプタ情報、Ｃｉ  予約情報。
【図１】
2007134949.tif 000003
【図２】
2007134949.tif 000004
【図３】
2007134949.tif 000005
【図４】
2007134949.tif 000006
【図５】
2007134949.tif 000007
【図６】
2007134949.tif 000008
【図７】
2007134949.tif 000009
【図８】
2007134949.tif 000010
【図９】
2007134949.tif 000011
【図１０】
2007134949.tif 000012
【図１１】
2007134949.tif 000013
【図１２】
2007134949.tif 000014
【図１３】
2007134949.tif 000015
【図１４】
2007134949.tif 000016
【図１５】
2007134949.tif 000017